(57)【要約】本発明は、概して長方形であり、底部と、底部およびコーナー構造を介してコーナーに結合された平行な直立壁の第１および第２のペアとを備える、上部が開いた積み重ね可能な成形プラスチック容器に関する。第１の態様によれば、各コーナー構造は、突出スタッキングピン部分を有する中空管状ポストを備え、スタックにおいて、上方容器のピン部分は、上方容器が上にスタックされる下方容器のコーナー構造の上壁の穴を通して受け入れられる。第２の態様によれば、容器は、母虫が卵を産卵する産卵構造と組み合わせて使用される。産卵構造は、折り畳み可能部材と剛性のある部材で構成される。【選択図】図２ａ
2020523021.tif 000002
【特許請求の範囲】
【請求項１】
概して長方形であり、底部（２）と、底部およびコーナー構造（１０）を介してコーナーに結合された平行な直立壁の第１および第２のペア（２、３；４、５）とを備える、上部が開いた積み重ね可能な成形プラスチック容器（１）であって、各コーナー構造は、
−平面視で、隣接する直立壁の間を斜めに延び、前記直立壁に溶け込んで前記容器の収容空間（８）の輪郭を定義する、実質的に斜めの直立壁部（１１）と、
−前記斜めの直立壁部の上端から外側に延びる上壁（１２）と、
−前記上壁（１２）から垂直に下方に延びる中空管状ポスト（１３）であって、前記中空管状ポストは、前記斜めの直立壁部（１１）から間隔をあけられ、前記上壁は、前記中空管状ポスト（１３）と整列した穴（１４）を有する、中空管状ポスト（１３）と、を備え、
−複数の、例えば少なくとも３つの垂直スタッキングリブ（１５ａ〜１５ｇ）が前記中空管状ポストの周りに円周方向に間隔を空けて配置され、各スタッキングリブは前記中空管状ポストに結合された垂直内側端部を有し、
−−少なくとも１つの、好ましくは２つのスタッキングリブ（１５ａ、１５ｇ）は、前記斜めの直立壁部（１１）および／または前記隣接する直立壁部に結合された垂直外端を有し、
−−前記スタッキングリブの各々は、共通平面（Ｃ）に位置する下端を有し、
前記管状ポストは、スタッキングリブ下端の前記共通平面を越えて下方に延びる突出スタッキングピン部分（１３ｐ）を有し、スタックにおいて、上方容器のピン部分は、前記上方容器が上にスタックされる下方容器の前記コーナー構造の上壁の穴を通して受け入れられる、容器。
【請求項２】
前記スタッキングピン部分は、前記容器の底部を越えて下方に突出せず、前記スタッキングリブの下端は底部より上にあり、スタックにおいて、上方容器が下方容器内に収まる、請求項１に記載の容器。
【請求項３】
各スタッキングリブは、前記上壁（１２）に結合する上端を有する、請求項１または２に記載の容器。
【請求項４】
前記コーナー構造は、前記上壁の外周縁から下向きに延びる四分円のスカート壁（１２ｃ）をさらに備え、少なくとも１つのスタッキングリブ（１５ｃ、１５ｄ、１５ｅ）の垂直外側端部の好ましくは一部が、前記四分円のスカート壁に結合される、請求項１〜３のいずれか一項に記載の容器。
【請求項５】
上部フランジ（２ａ、３ａ；４ａ、５ａ）が各直立壁（２、３；４、５）の上端から外側に延び、好ましくは前記上部フランジおよび／または前記上壁は排水穴（１７）を備える、請求項１〜４のいずれか一項に記載の容器。
【請求項６】
フランジスカート壁（２ｂ、３ｂ；４ｂ、５ｂ）が、それぞれの直立壁に本質的に平行でかつ距離を置いて前記上部フランジから下方に垂れ下がり、好ましくはスカート壁の少なくとも１つはラベル（１８）を備える、請求項５に記載の容器。
【請求項７】
小さいゴミムシダマシまたはゾフォバス・モリオスなどの伸縮可能な産卵管を有するクロール母虫を有するタイプの昆虫を繁殖させるための昆虫繁殖施設での使用に適合した、母虫が卵を産卵する少なくとも１つの産卵構造（５０）と組み合わせて使用するように適合され、容器の底には産卵構造を受け入れて産卵構造を容器に接続できる産卵構造クランプを備える、請求項１〜６のいずれか一項に記載の容器。
【請求項８】
昆虫繁殖施設での請求項１〜７のいずれか一項に記載の容器の使用。
【請求項９】
請求項１〜７のいずれか一項に記載の少なくとも１５個、好ましくは少なくとも２０個の容器を含むスタック（２）。
【請求項１０】
請求項９に記載の複数のスタックを含む昆虫飼育施設の気候ハウジング。
【請求項１１】
−小さいゴミムシダマシまたはゾフォバス・モリオスなどの伸縮可能な産卵管を有するクロール母虫を有するタイプの昆虫を繁殖させるための昆虫繁殖施設での使用に適合した昆虫産卵容器（１）であって、前記昆虫産卵容器は、底部（２）および、平行な直立壁の第１および第２のペア（２、３；４、５）を備える、昆虫産卵容器（１）と、
−母虫が卵を産卵する少なくとも１つの産卵構造（５０）であって、穿孔された左部（５１ａ）と穿孔された右部（５１ｂ）との間の中央にヒンジ（５１ｇ、５１ｈ）を介して接続して設けられた折り畳み部（５１ｆ）を有する折り畳み可能部材（５１）を備え、前記産卵構造は剛性プレート（５２）をさらに含む、産卵構造（５０）と、
の組み合わせであって、
前記折り畳み可能部材および前記剛性プレートは、開いた形態と閉じた産卵形態との間で互いに対して移動可能であり、
閉じた産卵形態では、前記折り畳み可能部材（５１）は、左部（５１ａ）と右部（５１ｂ）とが互いに平行になるように折り畳まれ、前記剛性プレートは左部（５１ａ）、右部（５１ｂ）間に挟まれ、剛性プレート（５２）と折り畳まれた部材の内面（５１ａｉ、５１ｂｉ）との間に多数の隙間（５３）を作成し、隙間は母虫の産卵管に合わせた寸法を有し、そして、折り畳まれた部材の産卵形態の外面（５１ａｏ、５１ｂｏ）は、２つの登山面を形成し、
閉じた産卵形態において産卵構造は、母虫が産卵構造の登山面に沿って下から上に這い上がって隙間に入ることができるように容器内に配置され、
開いた形態では、前記折り畳み可能部材は折り畳まれて開き、卵の収穫を可能にする、
組み合わせ。
【請求項１２】
前記折り畳み可能部材は、前記剛性プレートの長さに本質的に対応する前記折り畳み部の方向の長さを有し、前記左部および前記右部の幅は、前記剛性プレートの幅に本質的に対応する、請求項１１に記載の組み合わせ。
【請求項１３】
前記折り畳み部（５１ｆ）は、前記剛性プレート（５２）の長さに対応する長さ、前記剛性プレートの厚さに本質的に対応する幅、および前記剛性プレートを収容する深さを有する細長いスリットシート（５１ｆｓ）を含む、請求項１１または１２に記載の組み合わせ。
【請求項１４】
前記左部および右部と前記折り畳み部との間のヒンジの少なくとも１つは、折り畳み方向とは反対に予め応力がかけられている、請求項１１〜１３のいずれか一項に記載の組み合わせ。
【請求項１５】
前記折り畳み部に対向する前記折り畳み可能部材の内面の端部および／または前記折り畳み部に隣接する前記折り畳み可能部材の側面は、外面に向かって先細になる、請求項１１〜１４のいずれか一項に記載の組み合わせ。
【請求項１６】
前記昆虫産卵容器の底部（２）は、前記産卵構造を産卵形態で受け入れて、産卵構造を容器に結合できるようにする産卵構造クランプ（２０）を備え、好ましくは、前記折り畳み部の反対側の前記折り畳み可能部材の外面の端部は、相補的な容器コネクタを備えている、請求項１１〜１５のいずれか一項に記載の組み合わせ。
【請求項１７】
前記産卵構造の長さは、前記昆虫産卵容器の長さの７０〜１００％、特に８０〜９０％であり、好ましくは２〜１０個、特に好ましくは４〜６個の産卵構造が、前記産卵容器の長手方向に設けられる、請求項１１〜１６のいずれか一項に記載の組み合わせ。
【請求項１８】
前記容器は、請求項１〜７のいずれか一項に記載の容器である、請求項１１〜１７のいずれか一項に記載の組み合わせ。
【請求項１９】
請求項１１〜１８の１つ以上に記載の組み合わせの使用。
【請求項２０】
小さいゴミムシダマシまたはゾフォバス・モリオスなどの伸縮可能な産卵管を有するクロール母虫を有するタイプの昆虫を繁殖させるための方法であって、
−請求項１１〜１８のいずれか一項に記載の、閉じた産卵形態において産卵構造と組み合わせて複数の産卵容器（３）を提供するステップと、
−母虫を含む成虫を産卵容器に提供するステップと、  
定期的に以下の
−産卵容器から産卵構造を取り除き、産卵容器内に成虫を残すステップ、
−産卵構造の折り畳み可能部材を折り畳んで開くステップ、
−折り畳み可能部材および／または卵を保持している産卵構造の剛性プレートを取り外し、卵を孵化させるステップ、
−各産卵容器において閉じた産卵形態の空の産卵構造を提供するステップ、
を繰り返すステップと、
を含む、方法。
【発明の詳細な説明】
【技術分野】
【０００１】
本発明の第１の態様は、概して長方形であり、底部と、底部およびコーナー構造を介してコーナーに結合された平行な直立壁の第１および第２のペアとを備える、上部が開いた積み重ね可能な成形プラスチック容器に関する。
【背景技術】
【０００２】
従来技術から、積み重ね可能な容器はよく知られている。昆虫の繁殖と飼育の目的に適するように、少なくとも１５個の容器の高さまで積み重ねることができ、温度が最高４０℃までそして湿度が最高９０％までの気候ハウジングで使用できるタイプの容器が望まれる。
【先行技術文献】
【特許文献】
【０００３】
【特許文献１】国際公開第２０１６／１５３３４０号
【発明の概要】
【課題を解決するための手段】
【０００４】
本発明の第１の態様によれば、容器のコーナー構造は、
−平面視で、隣接する直立壁の間を斜めに延び、直立壁に溶け込んで容器の収容空間の輪郭を定義する、実質的に斜めの直立壁部と、
−斜めの直立壁部の上端から外側に延びる上壁と、
−上壁から垂直に下方に延びる中空管状ポストであって、中空管状ポストは、斜めの直立壁部から間隔をあけられ、上壁は、中空管状ポストと整列した穴を有する、中空管状ポストと、を備え、
−複数の、例えば少なくとも３つの垂直スタッキングリブが中空管状ポストの周りに円周方向に間隔を空けて配置され、各スタッキングリブは中空管状ポストに結合された垂直内側端部を有し、
−−少なくとも１つの、好ましくは２つのスタッキングリブは、斜めの直立壁部および／または隣接する直立壁部に結合された垂直外端を有し、
−−スタッキングリブの各々は、共通平面に位置する下端を有し、
管状ポストは、スタッキングリブ下端の共通平面を越えて下方に延びる突出スタッキングピン部分を有し、スタックにおいて、上方容器のピン部分は、上方容器が上にスタックされる下方容器のコーナー構造の上壁の穴を通して受け入れられる。
【０００５】
このタイプのコーナー構造は、比較的大きな収容空間と組み合わせて、少なくとも２１個の容器を積み重ねた構造上の安定性を提供する。
【０００６】
上部が開いた積み重ね可能なプラスチック容器は、好ましくはポリプロピレン（ＰＰ）から作られ、好ましくは一体射出成形される。
【０００７】
スタックには、上方容器のピン部分があり、上方容器のピン部分は、上方容器がスタックされる下方容器のコーナー構造の上壁の穴を通して受け入れられる。共通平面にある上方容器のスタッキングリブ下端は、下方容器の穴に隣接する上壁に載っている。
【０００８】
実施形態では、前記スタッキングピン部分は、容器の底部を越えて下方に突出せず（または底部より上で終端する）、スタッキングリブの下端は底部より上にある。その結果、積み重ねる前に、容器は底部が床に置かれ、スタックにおいて、上方容器が下方容器に入れ子になる。積み上げられると、下方容器の上壁は、上方容器の平行な直立壁の第１および第２のペアに隣接する。
【０００９】
スタッキングピンが容器の底部を超えて下方に突出する実施形態では、容器は、スタッキングする前に、これらのスタッキングピン上に載る。底部より上にスタッキングリブの下端がある実施形態では、上方容器は下方容器に入れ子になる。スタッキングリブの下端が底部より下にある実施形態では、スタックにおいて、上方容器は下方容器に入れ子にならず、この下方容器より上方の距離に配置される。
【００１０】
有利には、前記スタッキングリブの上端は、前記上壁に結合する。これは、射出成形による容器の製造の観点から特に有利である。スタッキングリブは基本的に長方形の断面を有する。生産の観点からも、スタッキングピンの方向に例えば下端の厚さが３．２ｍｍに先細りするリグを設計することは有利である。
【００１１】
実施形態では、コーナー構造は、上壁の外周縁から下向きに（依存して）延びる四分円のスカート壁をさらに含む。好ましくは、前記スタッキングリブの少なくとも１つは、前記斜めの直立壁部分および／または前記隣接する直立壁部分に結合されず、前記四分円のスカート壁に結合される外側垂直端部を有する。
【００１２】
したがって、各スタッキングリブの内側端部はポストに結合され、好ましくは、前記スタッキングリブの上端部は上壁に結合する。前記スタッキングリブの少なくとも１つ、好ましくは２つは、前記斜めの直立壁部分および／または前記隣接する直立壁部分に結合された外側垂直端部を有する。あるいは、１つ以上の他のスタッキングリブの外側の垂直端が四分円のスカート壁に結合される。
【００１３】
実施形態では、産卵容器の底部は産卵構造クランプを備え、本発明の第２の態様による産卵構造と組み合わせて使用される。
【００１４】
実施形態では、上部フランジは、直立壁の上端から外向きに延びる。有利には、これらの上部フランジおよび／または上壁は、１つ以上の排水孔を備える。上部フランジが容器の底部に平行に延びることが考えられるが、直立壁の一部が傾斜し、上部フランジが底部に対してある角度で延びることも考えられる。
【００１５】
有利には、フランジスカート壁は、上部フランジから下方に垂れ下がり、平行な直立壁のそれぞれの第１および第２の対に本質的に平行であり、それらから離れている。底部に平行に延び、底部に対してある角度で延びる上部フランジのスカート壁は、互いに溶け込むことがあり得る。有利には、上部フランジは、好ましくは直立壁に隣接する上壁の幅に対応する共通の幅を有する。好ましくは、スカート壁の少なくとも１つは、例えばインモールドラベリング経由でラベルを備える。
【００１６】
また、本発明の第１の態様は、昆虫飼育施設における例えば繁殖および／または飼育用の容器に関する。さらに、第１の態様は、少なくとも１５個、好ましくは少なくとも２０個の容器を含むスタックに関する。そのような容器は、１５〜２０ｋｇの内容物重量を有し得る。
【００１７】
さらに、本発明の第１の態様は、本発明の容器の複数のスタックを収容する昆虫繁殖施設の気候ハウジングに関する。
【００１８】
本発明の第２の態様は、昆虫産卵容器と少なくとも１つの産卵構造との組み合わせに関する。このような組み合わせは、同じ出願人の特許文献１から公知である。これは、小さいゴミムシダマシ（ｌｅｓｓｅｒ  ｍｅａｌｗｏｒｍ）またはゾフォバス・モリオス（ｚｏｐｈｏｂａｓ  ｍｏｒｉｏｓ）などの伸縮可能な産卵管を有するクロール母虫を有するタイプの昆虫を繁殖させるための昆虫繁殖施設での使用に適合した昆虫産卵容器を開示し、昆虫産卵容器には母虫が卵を産卵する少なくとも１つの産卵構造が設けられ、昆虫産卵容器は、底部と、底部に結合された少なくとも１つの産卵構造とを備え、少なくとも１つの産卵構造は、産卵構造の登れる面に沿って母虫が底部から上方へクロールできるように登れる面を有し、少なくとも１つの産卵構造は、登れる面からアクセスできる多数の隙間を含み、隙間は母虫の産卵管に合わせた寸法を有している。
【００１９】
本発明の第２の態様の目的は、改善された組み合わせにより、昆虫の繁殖プロセスにおける収量の増加を提供する。
【００２０】
これは、
−小さいゴミムシダマシまたはゾフォバス・モリオスなどの伸縮可能な産卵管を有するクロール母虫を有するタイプの昆虫を繁殖させるための昆虫繁殖施設での使用に適合した昆虫産卵容器であって、昆虫産卵容器は、底部および、平行な直立壁の第１および第２のペアを備える、昆虫産卵容器と、
−母虫が卵を産卵する少なくとも１つの産卵構造であって、穿孔された左部と穿孔された右部との間の中央にヒンジを介して接続して設けられた折り畳み部を有する折り畳み可能部材を備え、産卵構造は剛性プレートをさらに含む、産卵構造と、
の組み合わせであって、
折り畳み可能部材および剛性プレートは、開いた形態と閉じた産卵形態との間で互いに対して移動可能であり、
閉じた産卵形態では、折り畳み可能部材は、左部と右部とが互いに平行になるように折り畳まれ、剛性プレートは両部分間に挟まれ、剛性プレートと折り畳まれた部材の内面との間に多数の隙間を作成し、隙間は母虫の産卵管に合わせた寸法を有し、そして、折り畳まれた部材の産卵形態の外面は、２つの登山面を形成し、
閉じた産卵形態において産卵構造は、母虫が産卵構造の登山面に沿って下から上に這い上がって隙間に入ることができるように容器内に配置され、
開いた形態では、前記折り畳み可能部材は折り畳まれて開き、卵の収穫を可能にする、組み合わせを提供することにより達成される。
【００２１】
これは、折り畳み可能部材を剛性プレートの周りに折り畳むと、本の開口部と同様に、折り畳み可能部材の横方向の動きによる開口が可能になり、産卵構造の折り畳み可能部材と剛性のプレートとの横方向の相対的なスライド運動がないため、卵を損傷するリスクが小さくなり、有利な構成である。さらに、隙間の寸法は明確に定義されており、再現性がある。その結果、歩留まりが向上する。
【００２２】
本発明の第２の態様は、さらに、小さいゴミムシダマシまたはゾフォバス・モリオスなどの伸縮可能な産卵管を有するクロール母虫を有するタイプの昆虫を繁殖させるための方法であって、
−上記のように、閉じた産卵形態において産卵構造と組み合わせて複数の産卵容器を提供するステップと、
−母虫を含む成虫を産卵容器に提供するステップと、
定期的に以下の
−産卵容器から産卵構造を取り除き、産卵容器内に成虫を残すステップ、
−産卵構造の折り畳み可能部材を折り畳んで開くステップ、
−折り畳み可能部材および／または卵を保持している産卵構造の剛性プレートを取り外し、卵を孵化させるステップ、
−各産卵容器において閉じた産卵形態の空の産卵構造を提供するステップ、
を繰り返すステップと、
を含む、方法に関する。
【００２３】
本発明の第２の態様はさらに、本発明の組み合わせの使用に関する。
【００２４】
産卵構造の産卵形態の隙間は、産卵中に、甲虫の伸縮可能な産卵管が隙間に入り、隙間の中で折り畳み可能部材および／または剛性プレート上に卵を堆積させることができる一方、隙間への口の侵入を禁止し、甲虫が卵を食べるのを防ぐ寸法を有する。
【００２５】
卵の堆積には、産卵管を隙間に配置し、産卵構造の一部上に卵を貼り付けることが含まれる。これは、産卵構造の折り畳み可能部材および剛性プレートの両方にすることができる。実施形態では、折り畳み可能部材および剛性プレートの一方は非粘着性にされ、すべての卵が産卵構造の他の部分に確実に付着するようにする。有利には、産卵構造の折り畳み可能部材は非粘着性であり、すべての卵を産卵構造の剛性プレート上に産卵できるようにする。
【００２６】
開いた形態では、産卵構造の折り畳み可能部材と剛性プレートとの間の距離が長くなる。開いた形態では、卵の周囲に拡大された領域（自由空間）が作成され、孵化気候を最適化するのに有利である。卵は非常に脆弱であり、孵化するときに、幼虫は隙間から抜け出すためにより多くの空間を必要とする。隙間が小さすぎると、卵が湿り、幼虫が隙間の壁にくっつくリスクがある。拡大された領域は、孵化プロセスの開始時に、または孵化の数日後の終了時にのみ、またはその間に作成されることが考えられる。
【００２７】
拡大した領域は、幼虫を収穫する目的でのみ取得してもよい。拡大された領域は、産卵構造を洗浄する目的でのみ取得されることも考えられる。
【００２８】
有利には、産卵構造全体が産卵容器から取り除かれ、その後のステップで、産卵構造の部品間の距離が拡大され、卵を含む産卵構造の折り畳み可能部材および／または剛性プレートが、孵化する、例えば孵化エリアに輸送される。産卵構造の部品のうちの１つを非粘着性にして、すべての卵を産卵構造の他の部品に産卵できるようにする実施形態では、卵が付着した産卵構造の部品を例えば孵化室で孵化する一方、産卵構造の他の部品を洗浄できて有利である。洗浄後、この他の部品を卵のない新しい部品と組み立てて、産卵容器に入れる閉じた産卵形態を形成することができる。有利なことに、卵は産卵構造の剛性プレートにくっつく。したがって、卵を有する剛性プレートを孵化させながら、別の剛性プレートを洗浄済みの折り畳み可能部材に配置し、産卵容器に戻すことができる。
【００２９】
有利には、折り畳み可能部材は、剛性プレートの長さに本質的に対応する折り畳み部の方向に長さを有し、左部および右部の幅は、剛性プレートの幅に本質的に対応する。このような調整された寸法により、産卵形態では、折り畳み可能部材と剛性プレートとが互いに一致し、産卵構造を単一のエンティティとして扱うことができる。さらに、このような構成により、単一の産卵構造で折り畳み可能部材と剛性プレートとの間の隙間の量を最適化できる。
【００３０】
産卵構造の剛性プレートは、有利には、その幅の４倍の長さを有する。したがって、折り畳む前の産卵構造の折り畳み可能部材は、折り畳み部の方向に幅の約２倍の長さを有する。例えば、産卵構造の剛性プレートの長さは４０〜８０ｃｍ、高さは１０〜２０ｍｍである。折り畳み部の左部と右部、および剛性プレートの有利な厚さは、２〜５ｍｍ、好ましくは３ｍｍである。
【００３１】
折り畳み部は、第２のプレートの厚さに本質的に対応する幅と、第２のプレートの厚さの１．１〜２．５倍の幅との間の範囲の広げられた位置の幅を有する。
【００３２】
折り畳み部の幅は、例えばヒンジの種類に依存する。有利には、産卵構造の折り畳み可能部材には、一方では折り畳み部と、他方では左部および右部との間にリビングヒンジが設けられる。リビングヒンジは、薄い柔軟な、またはいわゆるフレクシャーベアリング（ｆｌｅｘｕｒｅ  ｂｅａｒｉｎｇ）である。そのようなリビングヒンジの位置での折り畳み可能部材の厚さは、０．５ｍｍ未満、特に０．３５ｍｍまで減少し得る。そのようなリビングヒンジでは、第２のプレートの厚さに本質的に対応する折り畳み部の幅を有することが可能である。
【００３３】
実施形態では、折り畳み部は、剛性プレートの長さに対応する長さ、剛性プレートの厚さに本質的に対応する幅、および剛性プレートを収容する深さを有するスリットシートを含む。スリットの深さは、例えば５〜１５ｍｍ、好ましくは約１０ｍｍである。有利には、スリットの幅は、剛性プレートがスリットに留められるように、剛性プレートの厚さに調整される。実施形態では、スリットの上端部には、剛性プレートをスリットに案内するのを助けるために傾斜したガイド面が設けられる。そのような折り畳み部がスリットを含む場合、折り畳み部は、展開された位置で第２のプレートの厚さの約２倍の幅を有する。また、折り畳み部がスリットを含むそのような実施形態では、折り畳み部と左部および右部との間にリビングヒンジを設けることが可能である。
【００３４】
実施形態において、左部および右部と折り畳み部との間のヒンジの少なくとも１つは、折り畳み方向とは反対に予め応力がかけられている。結果として、折り畳み可能部材を産卵構造の剛性プレートの周りに折り畳むと、左部、剛性プレートおよび右部を互いに平行にするために、予応力に打ち勝たなければならない。これは、産卵構造を開く場合に特に有利である。卵が産卵構造の折り畳み可能部材および／または剛性プレート上に堆積されると、産卵構造の部品が互いにくっつく可能性がある。予応力ヒンジにより、予応力は、産卵構造の折り畳み可能部材と剛性プレートとの間の距離を広げ、起こり得る粘着力を克服するのに役立つ。
【００３５】
実施形態では、折り畳み部の反対側の折り畳み可能部材の内面の端部は、外面に向かって先細になっている。あるいは、その代わりに、またはそれに加えて、折り畳み部に隣接する折り畳み可能部材の側面は、外面に向かって先細になっている。端部を外面に向かって先細にすることにより、産卵形態では、一方では平行な左部および右部と、他方では剛性プレートとの間に開口スリットが作成される。この開口スリットは、産卵構造の折り畳み可能部材と剛性プレートとの間の距離を開いた形態に増加させるのを容易にする。あるいは、開口部のスリットにより、開口部ツールを使用して相互距離を延ばすことができる。
【００３６】
実施形態では、昆虫産卵容器の底部に産卵構造クランプが設けられ、産卵形態の産卵構造を受け取り、産卵構造を容器に接続できるようにする。
【００３７】
あるいは、産卵構造クランプは、昆虫産卵容器の底から突き出た対向する突出した指を備え、その間に産卵構造受け溝が設けられる。あるいは、対向する指の構成は、指の間の溝の底が産卵容器の底からある距離（例えば、２〜４ｍｍ、好ましくは３ｍｍ）で設けられるようなものである。有利には、指は、産卵構造のガイド面を提供するために、テーパー状の端部を有する。
【００３８】
好ましくは、折り畳み部の反対側の折り畳み可能部材の外面の端部は、産卵構造が産卵形態で容器に接続されることを可能にする相補的な容器コネクタを備える。有利には、産卵構造クランプおよび相補的な容器コネクタの構成は、産卵構造を容器に接続することにより、容器内の産卵構造の位置が規定されるようなものである。考えられる容器コネクタは、外面から突き出ているスナップ式の固定具である。
【００３９】
本発明によれば、閉じた産卵形態の産卵構造体は、母虫が底部から産卵構造体の登山面に沿って隙間に這い上がることができるように容器内に配置される。あるいは、産卵構造は容器の底に隣接して配置される。母虫が容器の産卵構造クランプを介して登山面上を這うことも可能である。
【００４０】
実施形態では、産卵構造の長さは、昆虫産卵容器の長さの７０〜１００％、特に８０〜９０％であり、好ましくは２〜１０個、特に４〜６個の産卵構造が産卵容器の長手方向に設けられる。産卵容器内にこのような細長い産卵構造が複数あると、最適な数の卵が収穫される。有利には、産卵構造は、産卵容器の側面に沿って設けられ、産卵容器内に明確な中央縦方向空間を残す。産卵容器の幅の本質的に３０〜７０％、特に４０〜６０％の幅を有するこの空き空間では、母虫は自由に動き回り、食物を受け取り、換気を提供する。必要に応じて、産卵容器の底には、排泄物の除去を可能にするための穴の開いた領域がこの空き空間に設けられる。
【００４１】
本発明によれば、閉じた産卵形態において、産卵構造の折り畳み可能部材および剛性プレートは、それらの間に多数の隙間が作られるように互いに対して配置される。折り畳み可能部材には、穿孔部、すなわち切り欠きが設けられた部分が設けられ、少なくとも穿孔の外側輪郭と産卵構造の剛性プレートとの間に隙間が作られる。
【００４２】
小さいゴミムシダマシを繁殖させる場合、隙間の幅（ｗ）は０．２〜１．２ｍｍであり、ゾフォバス・モリオスを繁殖させる場合、隙間の幅は０．２〜１．８ｍｍである。隙間の深さ（ｄ）は、０．５〜１０．０ｍｍの間で変化し得る。
【００４３】
長さ４０〜８０ｃｍ、高さ１０〜２０ｍｍの産卵構造の場合、左部および右部がそれぞれ２５０〜４００個、特に３００〜３５０個の穿孔を備えるのが有利である。
【００４４】
第１の発明の態様は第２の発明と組み合わせることができ、逆もまた同様であることが想定される。
【００４５】
本発明は、図面に関連してさらに説明される。
【図面の簡単な説明】
【００４６】
【図１ａ】図１ａは、本発明の第１の態様による２つの容器のスタックの側面図を表す。
【図１ｂ】図１ｂは、本発明の第１および第２の態様による容器の斜視上面図を表す。
【図２ａ】図２ａは、図１ａおよび図１ｂの容器のコーナー構造の斜視底面図を表す。
【図２ｂ】図２ｂは、図１の容器のコーナー構造の詳細な側面図を表す。
【図２ｃ】図２ｃは、図１の２つの積み重ねられた容器のコーナー構造の断面図を表す。
【図２ｄ】図２ｄは、図１の容器のコーナー構造の底面図を表す。
【図３ａ】図３ａは、本発明の第２の態様による組み合わせの産卵構造の折り畳み可能部材の下からの斜視図を表す。
【図３ｂ】図３ｂは、本発明の第２の態様による組み合わせの産卵構造の折り畳み可能部材の上面図を表す。
【図３ｃ】図３ａは、本発明の第２の態様による組み合わせの産卵構造の折り畳み可能部材の側面図を表す。
【図３ｄ】図３ｄは、本発明の第２の態様による組み合わせの産卵構造の折り畳み可能部材の上からの斜視図を表す。
【図３ｅ】図３ｅは、本発明の第２の態様による組み合わせの産卵構造の折り畳み可能部材の上からの斜視図の詳細を表す。
【図４】図４は、開いた形態における本発明の第２の態様による産卵構造の斜視図を表す。
【図５ａ】図５ａは、閉じた構成における本発明の第２の態様による産卵構造全体の斜視図を表す。
【図５ｂ】図５ｂは、閉じた構成における本発明の第２の態様による産卵構造全体の斜視図の詳細を表す。
【図６ａ】図６ａは、本発明の第２の態様による産卵構造の折り畳み可能部材の折り畳み部の詳細を表す。
【図６ｂ】図６ｂは、本発明の第２の態様による産卵構造の折り畳み可能部材の折り畳み部の詳細を表す。
【図６ｃ】図６ｃは、本発明の第２の態様による産卵構造の折り畳み可能部材の折り畳み部の詳細を表す。
【図６ｄ】図６ｄは、本発明の第２の態様による産卵構造の折り畳み可能部材の折り畳み部の詳細を表す。
【図７ａ】図７ａは、折り畳み可能なプレート上の産卵構造クランプおよび相補的な容器コネクタの詳細な斜視図を示す。
【図７ｂ】図７ｂは、折り畳み可能なプレート上の産卵構造クランプおよび相補的な容器コネクタの詳細な斜視図を示す。
【図８ａ】図８ａは、折り畳み可能なプレート上の産卵構造クランプおよび相補的な容器コネクタの詳細な斜視図を示す。
【図８ｂ】図８ｂは、折り畳み可能なプレート上の産卵構造クランプおよび相補的な容器コネクタの詳細な斜視図を示す。
【図８ｃ】図８ｃは、折り畳み可能なプレート上の産卵構造クランプおよび相補的な容器コネクタの詳細な斜視図を示す。
【図８ｄ】図８ｄは、折り畳み可能なプレート上の産卵構造クランプおよび相補的な容器コネクタの詳細な斜視図を示す。
【図９ａ】図９ａは、本発明の第２の態様による昆虫産卵容器および産卵構造の組み合わせの斜視図を表す。
【図９ｂ】図９ｂは、本発明の第２の態様による検査産卵容器および産卵構造の組み合わせの上面図を表す。
【発明を実施するための形態】
【００４７】
図１ａ〜図２ｄには、本発明の第１の態様の、上部が開いた積み重ね可能なプラスチック容器１が、本発明のコーナー構造１０の詳細とともに示されている。図１ａおよび図２ｃには、２つの積み重ねられた容器１および１’が示されており、同じ部分にはアポストロフィ（’）が追加された同じ参照番号が与えられている。
【００４８】
容器は、好ましくはモノリシックに射出成形された容器であり、好ましくはＰＰから作られている。容器１は、一般に長方形であり、底部２と、底部２に結合された平行な直立壁２、３、４、５の第１および第２の対が、以下で詳細に説明する本発明のコーナー構造１０を介してコーナーで結合されている。
【００４９】
ここで、下端で、直立した壁２、３；４、５は、湾曲部２ｃ、３ｃ；４ｃ、５ｃを介して底部に結合（および融合）する。このタイプの容器の一般的な壁の厚さは、２〜３．５ｍｍである。
【００５０】
そのような容器の寸法は、例えば長さ７００〜８００ｍｍ、幅５００〜６００ｍｍおよび高さ１００〜２００ｍｍである。長さ７９ｘ５９ｘ１９ｃｍの外寸で、２７００ｃｍ２を超える容器の収納空間８が得られる。
【００５１】
このような容器は、例えば、あるいは本発明の第２の態様による産卵構造と組み合わせて、産卵母虫を収容する、昆虫の繁殖／飼育での使用に適している。さらに、容器は、卵の孵化、幼虫の飼育、幼虫の成虫への飼育プロセスに使用できる。
【００５２】
容器には、本発明の第２の態様により組み合わせて使用される産卵構造クランプ２０が設けられることが考えられる。これについては、以下でさらに説明する。容器はまた、例えば、卵が産卵される第２の態様の産卵構造の一部が収容される孵化構造を収容するのに適していてもよい。あるいは、容器の底は、卵または幼虫が産卵構造から別の容器に落下できるように、少なくとも部分的に取り除かれている。
【００５３】
実施形態では、例えば、容器が母虫を収容するために使用される場合、容器の底の少なくとも一部を除去し、例えば、排泄物の除去のためにメッシュに置き換えることが可能である。
【００５４】
図１ａには、本発明による２つの容器のスタック９が示されている。有利には、スタックは少なくとも２０個の容器を含む。好ましくは、いくつかのスタック、例えば２〜４スタックがパレット上に配置される。有利には、昆虫繁殖施設には、容器の複数のスタックが設けられる１つまたは複数の気候ハウジングまたは気候エリアが設けられる。
【００５５】
本発明の第１の態様によるコーナー構造１０は、図１ｂの壁４と５との間のコーナー構造１０に関連して説明される。示される実施形態では、４つのコーナー構造１０はすべて同じ構成を有する。
【００５６】
コーナー構造１０は、平面視で、隣接する直立壁４、５間で斜めに延び、前記直立壁に溶け込んで容器の収容空間８の輪郭を画定する、実質的に斜めの直立壁部１１を含む。特に、示された実施形態では、図１に見ることができるように、図１ｂ、図２ａ、図２ｂ、および図２ｄにおいて、直立壁部１１は、３つの部分、すなわち、壁５に隣接する部分１１ａ、壁４に隣接する直立壁部分１１ｃ、およびそれらの間の直立壁部分１１ｂを含む。
【００５７】
下端では、直立壁部１１は、湾曲部１１ａ１、１１ｂ１、１１ｃ１を介して、直立壁の底部への結合のタイプと同様に底部に結合される。
【００５８】
示された実施形態では、上壁１２は、斜めの直立壁部の上端から外向きに延びて、底部２に対して本質的に平行に延びている。
【００５９】
示された実施形態では、平行な直立壁２、３；４、５の第１および第２の対は、直立壁の上端から外向きに延びる上部フランジ２ａ、３ａ；４ａ、５ａを含む。ここで、上部フランジおよび上壁１２はすべて、容器の底部２に平行に水平に延びている。ここで、図１ｂおよび図２ｄに見られるように、上部フランジと上壁１２の両方に排水穴１７が設けられている。
【００６０】
図示の実施形態では、上部フランジ２ａ、３ａ；４ａ、５ａは、フランジスカート壁２ｂ、３ｂ；４ｂ、５ｂをさらに備え、フランジスカート壁２ｂ、３ｂ；４ｂ、５ｂは、上部フランジから下向きに垂れ下がり、平行な直立壁の第１および第２の対に本質的に平行であり、そこから距離を置いていて、好ましくはスカート壁の少なくとも１つは、例えば型内ラベリング経由でラベル１８を備える。
【００６１】
ここで、コーナー構造１０はまた、上壁１２の外周辺から下向きに、斜めの直立壁部から距離を置いて垂下する四分円のスカート壁１２ｃを含む。
【００６２】
本発明の第１の態様によれば、中空の管状ポスト１３は、前記上壁１２から垂直に下方に延び、前記中空の管状ポスト１３は、前記斜めの直立壁部分から離間している。ここで、管状ポスト１３は、四分円のスカート壁１２ｃからも離間している。上壁は、中空の管状ポスト１３と位置合わせされた穴１４を有する。
【００６３】
複数の、例えば少なくとも３つの、図示の実施形態では７つの垂直スタッキングリブ１５ａ〜１５ｇが中空管状ポスト１３の周りに円周方向に間隔を空けて配置され、各スタッキングリブは、前記中空管状ポストに結合される垂直内側端部を有する。スタッキングリブは、例示的な厚さ２〜４ｍｍを有する。
【００６４】
少なくとも１つの、ここでは２つの前記スタッキングリブ１５ａ、１５ｇは、それぞれ、前記斜めの直立壁部１１ａ、１１ｃに結合された垂直外側端部を有する。垂直な外端が平行な直立壁の第１および第２の対の壁に結合されることも考えられる。さらに、ここでは、スタッキングリブ１５ｃ、１５ｄ、１５ｅの垂直外側端部の一部は、前記四分円のスカート壁１２ｃに結合されている。スタッキングリブ１５ｂ、１５ｆの垂直外側端部は、他のどの部分にも結合されていない。
【００６５】
各スタッキングリブには上端がある。ここで、前記スタッキングリブ１５ａ〜１５ｇの上端は、前記上壁１２に結合する。さらに、各スタッキングリブには下端がある。本発明の第１の態様によれば、前記下端は共通平面Ｃに位置する。ここで、下端はわずかに丸みを帯びており、積み重ねられたときに突出する積み重ねピン部分が受け入れられる穴１４に一致するために、これは図２ｃに見られるように有利である。
【００６６】
管状ポスト１３は、スタッキングリブ下端の前記共通平面を越えて下方に延びる突出したスタッキングピン部分１３ｐを有する。示された実施形態では、突出したスタッキングピン部分１３ｐは、テーパー端部分１３ｐ’を含む。ここで、スタッキングピン部１３ｐの下端には、排水孔１３ｈが設けられている。特に図２ｃに見られるように、積み重ねにおいて、上方容器１’のピン部分１３ｐ’は、上方容器が積み重ねられる下方容器１のコーナー構造の上壁１２の穴１４を通して受け入れられる。
【００６７】
示された好ましい実施形態では、前記スタッキングピン部分１３ｐは、容器の底部２を越えて下方に突出せず、共通平面Ｃのスタッキングリブの下端は底部の上にあるので、上方容器は、スタックにおいて、下の容器に入れ子式になる。特に、上方容器のスタッキングリブの下端（ここではリブ１５ｄ’および１５ａ’が見える）は、下方容器の上壁１２上に載っているが、スタッキングピン部１３ｐ’は穴１４を通って下方容器１の管状ポスト１３に積み重ねられている。ここで、スタックにおいて、上方容器の底部２’は下方容器のコーナー構造の上壁のレベルよりわずかに下にある。したがって、容器１と１’にはオーバーラップがある。つまり、容器間の相対距離は負である。
【００６８】
スタッキングピン部分の長さは、容器のスタックの安定性に寄与する。有利な長さは、高さが１９０ｍｍの容器の場合、３０ｍｍであり、その結果、容器の積み重ね高さは約１６０ｍｍになる。
【００６９】
積み重ねピン部分１３ｐが容器の底部２を越えて下方に突出する実施形態（図示せず）では、積み重ねの最下部の容器は、その底部ではなく積み重ねピン部分に載る。さらに、容器間の相対距離が拡大され得る。容器間の相対距離は、スタッキングリブの下端の共通平面Ｃの位置によって決まる。
【００７０】
スタッキングピン部１３ｐの下端が容器の底部２よりも上方にある実施形態（図示せず）では、スタックの最下部の容器は、スタッキングピン部ではなく底部に載る。さらに、容器間の相対的距離は非常に小さく、容器がより大きく重なり合う場合がある。
【００７１】
本発明の第２の態様は、昆虫産卵容器１と少なくとも１つの産卵構造５０との組み合わせに関し、その例が図９ａおよび図９ｂに示されている。ここで、昆虫産卵容器１は、本発明の第１の態様の容器１に対応する。小さいゴミムシダマシまたはゾフォバス・モリオスなどの伸縮可能な産卵管を有するクロール母虫を有するタイプの昆虫を繁殖させるための昆虫繁殖施設の昆虫産卵容器として使用するのに適している限り、代替の容器構成、特に積み重ね可能な容器も考えられる。昆虫産卵容器１は、底部２、平行な直立壁の第１および第２の対２、３；４、５、および母虫用の収容空間８を含む。
【００７２】
母虫が卵を産卵するために、産卵構造５０、ここでは４つの産卵構造５０が容器１と組み合わせて設けられる。ここで、産卵構造５０は、産卵容器１の長手方向に、容器の側部に設けられ、産卵構造５０間の中央領域を開いたままにする。示された構成では、産卵構造の長さは、昆虫の産卵容器の長さの７０〜１００％、特に８０〜９０％である。産卵構造の幅は比較的小さく、容器の幅の１〜５％のオーダー、特に８〜２０ｍｍのオーダー、特に１０〜１５ｍｍのオーダーである。
【００７３】
示された実施形態では、図１ｂ、図９ａおよび図９ｂに見られるように、容器の底部２は、産卵形態に産卵構造を受け取り、産卵構造が容器２に接続されることを可能にするために、産卵構造クランプ２０をあるいは備えている。好ましくは、これは、本発明の第２の態様による産卵構造である。
【００７４】
産卵構造は、図３ａ〜図３ｅに示されるように穿孔または切り欠き５１ｃを備えた折り畳み可能部材５１、および図４に見られるように剛性プレート５２を備える。折り畳み可能部材５１および剛性プレート５２は、好ましくは、一体的に射出成形されたプラスチック製品である。
【００７５】
図３ａ〜図３ｅには、本発明の第２の態様による産卵構造の折り畳み可能部材５１が詳細に示されており、産卵構造５０の剛性プレート５２は示されていない。
【００７６】
本発明の第２の態様によれば、この折り畳み可能部材５１は、穿孔された左部５１ａと穿孔された右部５１ｂとの間の中央にヒンジ５１ｇ、５１ｈを介して設けられた折り畳み部５１ｆを備える。左部５１ａおよび右部５１ｂは、プレートとして具体化され、穿孔５１ｃを備える。図示の構成では、折り畳み可能部材５１は８つのセグメントを含み、ここでは各々８０〜８１個の穿孔が設けられている。各部５１ａ、５１ｂは、それぞれ外面５１ａｏ、５１ｂｏおよび内面５１ａｉ、５１ｂｉを含む。
【００７７】
本発明の第２の態様によれば、折り畳み可能部材および剛性プレートは、開いた形態と閉じた産卵形態との間で互いに対して移動可能である。折り畳み可能部材と剛性プレートとの間の相互距離、特に内面１ａｉ、５１ｂｉ間の距離は、この移動中に増減する。
【００７８】
図５ａ、図５ｂおよび図９ａ、図９ｂでは、産卵構造５０が閉じた産卵形態において示されている。産卵形態において、折り畳み可能部材５１は、左部５１ａと右部５１ｂとが互いに平行になるように折り畳まれる。剛性プレート５２は、左部５１ａ、右部５１ｂの間に挟まれている。剛性プレート５２と折り畳まれた部材の内面５１ａｉ、５１ｂｉとの間に多数の隙間５３が作られる。これらの隙間５３は、母虫の産卵管に合わせた寸法を有する。小さいゴミムシダマシを繁殖させるための隙間の幅は０．２〜１．２ｍｍであり、ゾフォバス・モリオスを繁殖させるための隙間の幅は０．２〜１．８ｍｍである。隙間の深さは、０．５〜１０．０ｍｍの間で変化し得る。
【００７９】
図９ａおよび図９ｂに示されるように、産卵形態において、産卵構造５０は、容器内に、ここでは底部２に隣接して配置される。折り畳まれた部材５１の外面５１ａｏ、５１ｂｏは、容器の底部に隣接して配置される２つの登山面を形成する。折り畳み可能部材の利点は、産卵構造の両側に隙間が作成されることである。
【００８０】
閉じた産卵形態において産卵構造は、産卵構造クランプ２０を介して、母虫が底から産卵構造の登山面に沿って上に這い上がって裂け目に入ることができるように容器に配置される。
【００８１】
図４に示されるように、開いた形態において、折り畳み可能部材５１は開いて折り畳まれ、折り畳み可能部材５１と剛性プレート５２との間の距離は増大し、卵の収穫および／または産卵構造の洗浄を可能にする。
【００８２】
本発明の第２の態様による産卵構造の構成は、例えば、閉じた構成と開いた形態とを切り替えるために産卵構造の効率的な取り扱いを可能にする。効率の向上は、特に昆虫の繁殖を拡大する際の収量の増加に寄与し得る。
【００８３】
さらに、本の開きと同様に、特に左部５１ａおよび右部５１ｂの折り畳み可能部材５１の横方向の動きにより産卵構造の開口を可能にすることによって、歩留まりの増加が得られる。この横向きの開口は、折り畳み可能部材と産卵構造の剛性プレートとの横方向の相対的なスライド移動が不可能であるため、卵を損傷するリスクを低減する。
【００８４】
また、相対的なスライドの防止に寄与するのは、剛性プレートの長さに対応する長さ、剛性プレートの厚さに本質的に対応する幅、および剛性プレートを収容する深さを有する細長いスリットシート５１ｆｓを折り畳み部５１ｆに提供することである。
【００８５】
これを図６ａ〜図６ｄに詳しく示す。特に、図６ａには、剛性プレート５２のない「空の」スリット５１ｆｓが示されている。また、スリット５１ｆｓに任意に設けられたリブ５１ｒが見え、これは剛性プレート５２の固定に寄与するために設けられ得る。
【００８６】
図６ｄに示すように、剛性プレート５２は、スリットシート５１ｆｓ内に配置される。
【００８７】
歩留まりは、正しい寸法を有する隙間５３の数と相関している。
【００８８】
特に図５ｂでは、有利なタイプの穿孔の詳細が見える。穿孔５１ｃは円形であり、ここでは、穿孔５１ｃが折り畳み可能なプレートの外面５１ａｏに隣接する比較的大きな直径を含み、穿孔の円筒形部分５１ｃｃに隣接するより小さな直径に先細になるように、傾斜部分５１ｃｂが設けられ、穿孔は、折り畳み可能なプレート５１の内面５１ａｉで終わる。隙間５３は、円筒部５１ｃｃの端部と剛性プレート５２との間に形成されている。
【００８９】
有利なことに、特に図４から導き出せるような図示の構成では、折り畳み可能部材５１は、剛性プレート５２の長さに本質的に対応する折り畳み部５１ｆの方向に長さを有し、左部および右部の幅は、剛性プレートの幅に本質的に対応する。その結果、想定される隙間を除いて、折り畳み可能部材と剛性プレートとの間に追加の隙間や明らかな間隔は作られない。
【００９０】
母虫の産卵管に合わせた寸法を有する隙間を得るために、折り畳み可能部材の内面５１ａｉ、５１ｂｉは、特に図３ｅで見える突起５１ｐを備えることが有利である。例えば、高さ０．３〜０．４ｍｍの突起は、所望の寸法の隙間を作成するのに適している。
【００９１】
隙間の寸法の重要性を考慮すると、折り畳み可能部材と閉じた産卵形態の剛性プレートとの間の相互距離を正確に制御することが重要である。突起５１ｐを設けることにより、産卵構造の部品間の最小距離が確保される。一方、対策は相互距離が大きすぎるリスクを減らすことを意図し得る。
【００９２】
例えば、図３ａでは、穿孔部間に細長いセービング５１ｓが見える。これらは、左部および右部からの膨らみを防ぐために設けられる。
【００９３】
隙間の寸法を制御する別の手段は、左部５１ａおよび右部５１ｂと折り畳み部５１ｆとの間のヒンジ５１ｇ、５１ｈの少なくとも１つに、折り畳み方向の反対の予応力を与えることである。
【００９４】
図３ｃでは、予応力は、右部５１ｂと水平部との間の１〜１．５°のわずかな角度αとして見ることができるが、ここでは左部５１ａは水平部との角度を含まない。
【００９５】
図６ａでは、折り畳み部５１ｆに隣接する折り畳み可能部材５１の左部５１ａおよび右部５１ｂのそれぞれの側部５１ａｅ、５１ｂｅは、それぞれ、外面５１ａｏ、５１ｂｏに向かって先細になることが分かる。端部を外面に向かって先細にすることにより、産卵形態では、一方の平行な左部および右部と、他方の剛性プレートとの間に開口部が作成される。この開口部は、折り畳み可能部材と産卵構造の剛性プレートとの間の距離を、開いた形態に増加させることを容易にする。あるいは、開口部により、開口ツールを使用して相互距離を延ばすことができる。折り畳み部の反対側の折り畳み可能部材の内面の端部および／または折り畳み部に隣接する折り畳み可能部材の側面は、外面に向かって先細になっている。
【００９６】
隙間の寸法を制御するさらに別の任意の手段は、閉じた産卵形態において産卵構造が適切に閉じるのを保証することである。例えば、左部５１ａ、剛性プレート５２、および折り畳み部５１ｆの反対側の右部５１ｂのサンドイッチを閉じるためにクリップが設けられる。
【００９７】
示された実施形態では、産卵構造は、昆虫産卵容器１の底部に設けられた産卵構造クランプ２０を介してクレートに配置される。これらのクランプ２０の設計は、サンドイッチされた産卵構造５０の適切な閉鎖に寄与する。
【００９８】
図７ａ〜図８ｄを参照すると、産卵構造クランプ２０がさらに詳細に示されている。昆虫産卵容器１の底部２には、産卵形態の産卵構造５０を収容する産卵構造クランプ２０が設けられ、産卵構造を容器に接続することができる。
【００９９】
図示の実施形態では、産卵構造クランプ２０は、昆虫産卵容器の底部２から突出する対向する突出指２０ａ、２０ｂを備え、その間に産卵構造収容溝２０ｃが設けられる。対向する指の構成は、指の間の溝の底が産卵容器の底からある距離（例えば、２〜４ｍｍ、好ましくは３ｍｍ）で設けられるようなものである。
【０１００】
指にはテーパー状の端部があり、産卵構造にガイド面２０ｇを提供する。これは特に図８ａおよび図８ｂで見ることができ、そこでは、産卵構造５０の入口、および閉じた産卵形態への閉鎖が説明されている。
【０１０１】
容器1に対する産卵構造５０の位置を定義するために、有利には、折り畳み部の反対側の折り畳み可能部材の外面５０ａｏ、５０ｂｏの端部に、相補的な容器コネクタ５０ａｃ、５０ｂｃが設けられる。相補的な容器コネクタ５０ａｃ、５０ｂｃにより、産卵構造５０を産卵形態で容器１に接続することができる。ここで、産卵構造クランプ２０および相補的な容器コネクタ５０ａｃ、５０ｂｃの構成は、産卵構造を容器に接続することにより、容器内の産卵構造の位置が規定されるようなものである。考えられる容器コネクタは、外面から突き出ているスナップ式の固定具である。
【図１ａ】
2020523021.tif 000003
【図１ｂ】
2020523021.tif 000004
【図２ａ】
2020523021.tif 000005
【図２ｂ】
2020523021.tif 000006
【図２ｃ】
2020523021.tif 000007
【図２ｄ】
2020523021.tif 000008
【図３ａ】
2020523021.tif 000009
【図３ｂ】
2020523021.tif 000010
【図３ｃ】
2020523021.tif 000011
【図３ｄ】
2020523021.tif 000012
【図３ｅ】
2020523021.tif 000013
【図４】
2020523021.tif 000014
【図５ａ】
2020523021.tif 000015
【図５ｂ】
2020523021.tif 000016
【図６ａ】
2020523021.tif 000017
【図６ｂ】
2020523021.tif 000018
【図６ｃ】
2020523021.tif 000019
【図６ｄ】
2020523021.tif 000020
【図７ａ】
2020523021.tif 000021
【図７ｂ】
2020523021.tif 000022
【図８ａ】
2020523021.tif 000023
【図８ｂ】
2020523021.tif 000024
【図８ｃ】
2020523021.tif 000025
【図８ｄ】
2020523021.tif 000026
【図９ａ】
2020523021.tif 000027
【図９ｂ】
2020523021.tif 000028
【国際調査報告】
2020523021.tif 000029
2020523021.tif 000030
2020523021.tif 000031
2020523021.tif 000032
2020523021.tif 000033